(57)【要約】【課題】装置固有の暗号化キーにより暗号化された画像データに対して、装置が異なっても画像データの復号化を可能とする。【解決手段】復号化キーを生成するための３種類の入力手段が選択可能とされる。装置固有の操作キーを操作して、復号化キーを直接入力する。自装置の操作キーでは、復号化キーを生成できないとき、復号化キーに対応するキーコードを直接入力して、復号化キーを生成する。あるいは、暗号化した画像処理装置にアクセスして、その画像処理装置の操作パネルの一部を表示する。表示された操作キーを操作して、復号化キーを入力する。いずれかの入力手段によって入力された復号化キーにより、暗号化された画像データを復号化する。【選択図】図５
2007235376.tif 000002
【特許請求の範囲】
【請求項１】
暗号化された画像データを復号化する画像処理装置であって、装置固有の入力手段に基づく復号化キーによって画像データを復号化する復号化手段を備えたことを特徴とする画像処理装置。
【請求項２】
復号化手段は、操作されたときに入力手段が発生する信号に応じて復号化キーを生成することを特徴とする請求項１記載の画像処理装置。
【請求項３】
復号化手段は、入力手段の操作によって復号化キーを生成できないとき、入力手段とは異なる第２の入力手段に基づく復号化キーによって、画像データを復号化することを特徴とする請求項１または２記載の画像処理装置。
【請求項４】
第２の入力手段は、キーコードを直接入力する手段とされ、復号化手段は、入力されたキーコードに基づいて復号化キーを生成することを特徴とする請求項３記載の画像処理装置。
【請求項５】
第２の入力手段は、他の画像処理装置と通信して、仮想的な入力手段を形成する手段とされ、復号化手段は、形成された入力手段からの操作に基づいて復号化キーを生成することを特徴とする請求項３記載の画像処理装置。
【請求項６】
第２の入力手段は、画像データを暗号化した画像処理装置の操作パネルの一部を表示して、仮想的な入力手段とすることを特徴とする請求項５記載の画像処理装置。
【請求項７】
装置固有の暗号化キーによって暗号化された画像データを復号化する画像処理装置であって、復号化キーを入力するための複数の入力手段を有し、選択された入力手段に基づいて暗号化キーに対応した復号化キーを生成して、画像データを復号化する復号化手段を備えたことを特徴とする画像処理装置。
【請求項８】
復号化された画像データを即座に出力する出力処理手段を備えたことを特徴とする請求項１〜７のいずれかに記載の画像処理装置。
【発明の詳細な説明】
【技術分野】
【０００１】
本発明は、暗号化された画像データを復号化して、この画像データに対して所定の出力処理を実行する画像処理装置に関する。
【背景技術】
【０００２】
画像処理装置では、画像データの漏洩を防止するために、画像データを暗号化して、記憶装置に保存したり、送信したりする。暗号化には、容易に復号化できないように、特定の暗号化キーが用いられる。例えば特許文献１に記載のように、暗号化キーは、装置自身に係る情報に基づいて生成される。また、特許文献２に記載のように、暗号化キーは、画像データ入力時の時刻情報に基づいて生成される。
【特許文献１】特開２００５−６１７７号公報
【特許文献２】特開２００５−３１１９５０号公報
【発明の開示】
【発明が解決しようとする課題】
【０００３】
暗号化された画像データは、他の画像処理装置あるいはパソコン等の情報処理装置に送信される。画像データは装置固有の暗号化キーにより暗号化されているので、情報の機密性が高まる。
【０００４】
ところで、この画像データを復号化する場合、暗号化キーに対応する装置固有の復号化キーが必要となる。そこで、本発明は、上記に鑑み、装置固有の暗号化キーによって暗号化された画像データに対して、装置固有の復号化キーを生成して、画像データを復号化できる画像処理装置の提供を目的とする。
【課題を解決するための手段】
【０００５】
本発明は、暗号化された画像データを復号化する画像処理装置であって、装置固有の入力手段に基づく復号化キーによって画像データを復号化する復号化手段を備えたものである。
【０００６】
画像データが装置固有の暗号化キーによって暗号化されている場合、装置固有の復号化キーによって復号化できる。装置固有の入力手段の操作により、暗号化キーに対応する復号化キーが生成される。すなわち、復号化手段は、操作されたときに入力手段が発生する信号に応じて復号化キーを生成する。
【０００７】
復号化手段は、入力手段の操作によって復号化キーを生成できないとき、入力手段とは異なる第２の入力手段に基づく復号化キーによって、画像データを復号化する。装置固有の入力手段が存在しない場合、復号化キーを生成することができない。そのため、他の入力手段を設けることによって、復号化キーの生成が可能となる。
【０００８】
第２の入力手段は、キーコードを直接入力する手段とされる。復号化手段は、入力されたキーコードに基づいて復号化キーを生成する。復号化キーは、操作内容に応じて発生した信号をキーコードに変換して作成される。そのため、復号化キーに対するキーコードを入力することにより、暗号化キーに対応する復号化キーを生成できる。
【０００９】
また、第２の入力手段は、他の画像処理装置と通信して、仮想的な入力手段を形成する手段とされる。復号化手段は、形成された入力手段からの操作に基づいて復号化キーを生成する。
【００１０】
仮想的な入力手段とは、画像データを暗号化した他の画像処理装置の操作パネルの一部を表示して、他の画像処理装置における入力手段を形成したものである。他の画像処理装置と通信することにより、他の画像処理装置から装置固有の入力手段に関する情報を取得する。この情報に基づいて、他の画像処理装置の操作パネルの一部を表示することにより、他の画像処理装置と同じ入力手段を自装置において形成することができる。したがって、この仮想的な入力手段を操作すれば、他の画像処理装置と同じ環境の下で装置固有の暗号化キーに対応する復号化キーを生成することができる。
【００１１】
以上のように、復号化キーを入力するための複数の入力手段を有している。復号化手段は、装置固有の暗号化キーによって暗号化された画像データを復号化するために、選択された入力手段に基づいて暗号化キーに対応した復号化キーを生成するものである。１つの入力手段によって、暗号化キーに対応した装置固有の復号化キーを生成できない場合であっても、他の入力手段を用いて、暗号化キーに対応した復号化キーを生成することができる。
【００１２】
そして、復号化された画像データを即座に出力する出力処理手段を備える。復号化された画像データがそのまま存在していると、情報漏洩の危険がある。そこで、即座に出力処理を行うことにより、危険性のある画像データを残さないようにでき、セキュリティの向上となる。
【発明の効果】
【００１３】
本発明によると、同一機種だけでなく、他機種さらには情報処理装置といった外部機器においても画像データを復号化できるので、広範囲にわたって暗号化された画像データを扱うことができる。特に、装置固有の暗号化キーによって暗号化された画像データに対して、復号化するには装置固有の復号化キーが必要となり、簡単に復号化できない。したがって、画像データのセキュリティが向上し、機密情報の漏洩を防止できる。
【発明を実施するための最良の形態】
【００１４】
本実施形態の画像処理装置を図１に示す。本画像処理装置は、コピーモード、プリンタモード、スキャナモードおよびファクシミリモードを有するデジタル複合機であり、原稿を読み取って画像データを入力する画像読み取り部１と、ユーザの入力を受け付ける操作部２と、入力された画像データの印刷を行う画像形成部３と、画像データを保存するハードディスク装置４と、外部機器とのデータ通信を行う通信部５と、ファクシミリ装置６と通信するためのＦＡＸモデム７と、装置全体の制御情報や設定情報等を記憶している管理部８と、装置全体の制御を司るＣＰＵからなる機器制御部９とを備えている。
【００１５】
画像読み取り部１は、画像を入力する画像入力手段として機能し、ＣＣＤ１０といった撮像素子と、原稿台や自動原稿送り装置（ＡＤＦ）にセットされた原稿を検知する原稿検知センサ１１とを有する。ＣＣＤ１０によって読み取られた画像の画像データは画像形成部３に出力される。
【００１６】
操作部２は、操作パネルを備え、各種入力キーからなる入力部１２と、液晶ディスプレイ等の表示部１３とを有する。装置全体の操作や各種設定の入力が行われ、入力内容や装置全体の動作状況が表示される。なお、表示部１３は、タッチパネルとされ、入力部としても機能する。
【００１７】
画像形成部３は、入力された画像データを記憶するローカルメモリ２０と、レーザ走査ユニットを有する印字部２１と、手差しトレイ、カセットトレイを備えた給紙部２２と、排紙トレイを備えた排紙部２３と、画像処理部２４と、暗号化複合化部２５とを有する。
【００１８】
ローカルメモリ２０は、ＳＤＲＡＭ、フラッシュメモリ等の読み書き可能な半導体メモリを用いる。ローカルメモリ２０は、入力された画像データを記憶する領域と、出力するための画像データを記憶する領域とに分割されている。なお、１つのローカルメモリ２０を分割して使用する代わりに、２つのローカルメモリ２０を入力用と出力用として、それぞれ使用してもよい。
【００１９】
入力された画像データはローカルメモリ２０に記憶される。ローカルメモリ２０は、古い画像データに新しい画像データを上書きすることにより、画像データを記憶する。画像データは、画像処理部２４によって圧縮、伸張、加工等の画像処理が行われ、ローカルメモリ２０に記憶される。画像処理された画像データが印字部２１、ハードディスク装置４あるいは機器制御部９に出力される。印字部２１は、ローカルメモリ２０に記憶された画像データに基づいて、給紙部２２から供給される記録シートに画像を印刷する。
【００２０】
通信部５は、ＬＡＮケーブルを介してルータ、スイッチングハブ等に接続され、パソコン、サーバ等の情報処理装置３０によって形成されたネットワークと接続される。ネットワークは、電話回線網や光ファイバ等の通信回線を介してインターネットに接続される。通信部５は、ネットワーク内の情報処理装置３０とデータの送受信を行うとともに、インターネットを通じて外部の情報処理装置３０やファクシミリ装置３１とデータや電子メールの送受信を行う。ＦＡＸモデム７は、電話線を介して電話回線網に接続され、外部のファクシミリ装置６とファクシミリ通信を行う。
【００２１】
機器制御部９は、操作部２からの入力や外部機器からのデータ入力があると、管理部８に記憶されている情報に基づいて各部を制御して、入力された画像データを処理する。すなわち、入力された画像データに対してコピーモード、プリンタモード、スキャナモード、ファクシミリモードのいずれかを実行して、入力された画像データを所望の形態で出力する。
【００２２】
ハードディスク装置４は、画像データを一時的に保存する。暗号化復号化部２５は、画像データに対して暗号化処理あるいは復号化処理を行う。ハードディスク装置４に画像データが保存されるとき、暗号化復号化部２５によって、画像データは暗号化される。ハードディスク装置４から暗号化された画像データを読み出すとき、画像データは復号化される。
【００２３】
また、ハードディスク装置４は、画像データ以外のデータとして、データの処理に関する管理情報を記憶する。管理情報としては、ファイリング管理情報、送信先管理情報、履歴管理情報である。ファイリング管理情報は、入力された画像データを保存したファイルのリストである。送信先管理情報は、ファクシミリ通信における送信先のリストである。履歴管理情報は、実行した処理内容のリストである。
【００２４】
そして、ハードディスク装置４の画像データを消去する消去手段３２を備えている。消去対象の画像データは、処理作業エリアに記憶されているデータである。機器制御部９が、画像データを処理して出力した後に消去手段３２の動作を制御する。消去手段３２は、ランダムなデータや無意味なデータを上書きしたり、あるいはデータを消去したりして、記憶されていた画像データを読み取り不可能にして、元の画像を再現できないように無効化する。なお、消去手段３２は、ローカルメモリ２０に対しても、上書きにより古い画像データを消去する、あるいは画像データを消去することによって、画像データを無効化するようにしてもよい。なお、ハードディスク装置４に記憶されている管理情報は、機器制御部９からの指令がない限り消去されない。
【００２５】
次に、各モードを実行するときの動作を説明する。まず、コピーモード時には、画像読み取り部１により読み取られた原稿の画像データが、画像形成部３から複写物として出力される。具体的には、読み取り位置にセットされた原稿の画像をＣＣＤ１０によって読み取る。ＣＣＤ１０から出力された画像データは、画像処理部２４により、ローカルメモリ２０上で画像処理され、出力画像として完成される。一旦ローカルメモリ２０からハードディスク装置４に転送されて保存される。原稿が複数ある場合は、この読み取り、記憶の動作が繰り返される。
【００２６】
その後、操作部２から指示された処理内容に基づいて、ハードディスク装置４に保存された画像データが適切なタイミングで順次読み出され、ローカルメモリ２０に送られる。そして、印字部２１への書き込みタイミングに合わせて、画像データがローカルメモリ２０から印字部２１へと転送され、給紙部２２から供給されたシート材に画像が印刷され、シート材は排紙部２３により排出される。
【００２７】
また、読み取った画像データを複数枚印刷する場合も同様に、画像データが出力画像としてページ単位でハードディスク装置４へ記憶され、出力するモードに合わせてハードディスク装置４からローカルメモリ２０に送られる。ローカルメモリ２０の画像データは、出力枚数の分だけ繰り返し、印字部２１への書き込みタイミングに合わせて印字部２１へ転送される。
【００２８】
プリンタモード時には、情報処理装置３０から出力された画像データが、出力処理される。すなわち、情報処理装置３０からの画像データが、通信部５により受信される。機器制御部９は、入力された画像データをローカルメモリ２０に送り、出力する画像データとしてページ単位に展開し、一旦ハードディスク装置４に保存する。そして、画像データは、ハードディスク装置４からローカルメモリ２０に送られ、コピーモードの場合と同様にして印字部２１へと転送され、画像がシート材に印刷される。
【００２９】
スキャナモード時には、画像読み取り部１において読み取られた原稿の画像データが、ネットワークを通じて任意の情報処理装置３０にデータ通信される。すなわち、ＣＣＤ１０から出力された画像データは、ローカルメモリ２０上で画像処理されて出力画像として完成され、一旦ハードディスク装置４へ保存される。そして、送信するとき、画像データがハードディスク装置４からローカルメモリ２０に送られ、機器制御部９は、操作部２を介して指示されたネットワーク内の送信先との通信を確立させ、通信部５から目的の送信先に画像データを送信する。同様に画像データは、通信部５によりネットワークからインターネットを通じて、外部の情報処理装置３０やファクシミリ装置３１にも送信される。また、機器制御部９は、ファクシミリモード時にも同様の動作によって、ＦＡＸモデム７から電話回線を通じてファクシミリ装置６に画像データを送信する。
【００３０】
上記のように画像入力手段から入力された画像の処理が完了したとき、消去手段３２がハードディスク装置４に保存された画像データを消去する。
【００３１】
そして、機器制御部９は、暗号化の指示があったとき、暗号化復号化部２５を制御して、画像処理された画像データを暗号化キーにより暗号化する。この暗号化処理は、ＡＥＳ（Advanced Encryption Standard）等の公知のアルゴリズムによって演算処理する。暗号化された画像データは、ハードディスク装置４やメモリ２０に記憶される。
【００３２】
そして、コピーモードやプリントモードの処理時には、機器制御部９は、暗号化復号化部２５を制御して、保存された画像データを復号化キーにより復号化する。復号化された画像データは、画像としてシート材に印刷されて出力する。ファクシミリモードやスキャナモードの処理時には、機器制御部９は、暗号化された画像データを指定の相手先に送信する。その後、所定の処理が完了すると、画像データを消去する。
【００３３】
このように画像データを暗号化することにより、画像処理装置に不正にアクセスされて、記憶されている画像データを盗まれても、画像データを解読できないので、情報の漏洩を防止できる。また、データ送信中に盗聴されても、同様に画像データを解読できず、情報の漏洩を防止できる。
【００３４】
暗号化処理および復号化処理を行うために、機器制御部９は、装置固有の入力手段に基づいて暗号化キーを生成して、画像データを暗号化する暗号化手段と、装置固有の入力手段に基づいて復号化キーを生成して、暗号化された画像データを復号化する復号化手段とを備えている。暗号化手段が暗号化キーを暗号化復号化部２５に送出することにより、暗号化復号化部２５は暗号化処理を実行する。また、復号化手段が復号化キーを暗号化復号化部２５に送出することにより、暗号化復号化部２５は復号化処理を実行する。
【００３５】
図２に示すように、操作パネルには、入力部１２とタッチパネル式の表示部１３とが設けられており、操作部１１には多数の操作キー１４が存在する。また、表示部１３に表示される操作メニューに対して、画面上に操作キー１４が設けられる。しかも、操作メニューは階層構造となっているので、操作メニューごとに操作キー１４が存在する。
【００３６】
また、画像処理装置は、機種によって機能が異なる。そのため、図２に示すように、機種によって操作パネルが異なる。各操作パネルでは、操作キー１４の種類や数がそれぞれ異なる。上位機種は、下位機種よりも多くの操作キー１４を有する。
【００３７】
これらの操作キー１４は、装置毎に固有であって、しかも固有の操作内容を有する固有キーである。すなわち、操作キー１４が入力手段となる。そして、各操作キー１４の操作により、ユニークな信号が発生する。ユーザが操作キー１４を操作すると、機器制御部９は、操作キー１４からの出力信号を受信して、どの操作キー１４が操作されたかを認識する。機器制御部９の暗号化手段は、入力された操作内容に基づいて暗号化キーを生成する。すなわち、ユーザが操作部２を操作することにより、その操作内容にしたがって暗号化キーが作成される。同様に、復号化手段も入力された操作内容に基づいて復号化キーを生成する。
【００３８】
ユーザによる操作キー１４の操作に基づいて暗号化キーや復号化キーを生成するために、暗号化手段および復号化手段は、操作された操作キー１４からの出力信号を対応するキーコードに変換する手段と、キーコードから暗号化キーや復号化キーを作成する手段とを有する。
【００３９】
機器制御部９は、操作キー１４からの出力信号に基づいて、キーコードに変換する。例えば、図３に示すように、ユーザは、入力開始のための特定の操作キー１４を操作してから、任意の操作キー１４を操作していく。最後に、特定の操作キー１４を操作して、入力終了とする。特定の操作キー１４は、キー入力の開始と終了を示す信号を出力する。操作キー１４に対応するキーコードが設定されており、図４に示すようなキーコードとの対応関係を示すテーブルが予め不揮発性メモリに記憶されている。このテーブルを参照して、コード変換が行われる。
【００４０】
機器制御部９は、変換されたキーコードを操作された操作キー１４の順に並べて、キーコード列を作成する。そして、セキュリティの向上のため、決められた規則にしたがって配列を変換し、変換後の配列に基づいて暗号化キーを作成する。このようにして、暗号化キーは、ユーザによって入力された操作内容に基づいて生成される。したがって、多数の操作キー１４を利用して暗号化キーを作成するので、装置固有の暗号化キーを生成できる。復号化キーについても同様に作成され、装置固有の復号化キーを生成することができる。生成された暗号化キーと復号化キーとは、１対１に対応している。すなわち、暗号化キーで暗号化した画像データは、対応する復号化キーでしか復号化できない。
【００４１】
ところで、操作キー１４は、装置固有であり、機種によっては操作キー１４が異なる。上位機種に存在する操作キー１４が下位機種には存在しないことがある。また、情報処理装置等の外部機器では、画像処理装置の操作キー１４自体が存在しない。そこで、機器制御部９の復号化手段は、第２の入力手段に基づいて復号化キーを生成する。第２の入力手段は、操作キー１４を用いるが、入力手段である操作キー１４による入力操作とは異なる操作によって、復号化キーが作成される。
【００４２】
第２の入力手段による操作としては、操作キー１４によってキーコードを直接入力する。入力されたキーコードに基づいて、復号化キーが作成される。さらに、第２の入力手段による他の操作としては、他の画像処理装置と通信して、他の画像処理装置から操作パネルの画面を入手して、表示部１３にその操作パネルの一部を表示する。これによって、仮想的な操作キー１４が形成される。仮想的な操作キー１４であっても、タッチパネルの表示部１３に形成されているので、表示部１３上の操作キー１４を操作すると、通常の操作キー１４と同様に信号が出力される。復号化手段は、この操作キー１４を通じて入力された操作内容に基づいて暗号化キーを生成する。したがって、復号化処理において、上記の３種類の入力手段は選択可能とされる。選択された１種類の入力手段を用いて、復号化キーが生成される。
【００４３】
ここで、図５に基づいて復号化処理の動作を説明する。他の画像処理装置あるいは外部機器から暗号化された画像データが入力されたとき、あるいは暗号化された画像データがハードディスク装置４に記憶されており、機器制御部９は、この画像データを読み出して、復号化処理を実行する。まず、図６に示す操作パネルにおいて、「ユーザ設定」キーを操作すると、図７に示す設定画面が表示される。「復号化処理」キーを操作すると、入力手段の選択画面が表示される。「単独で復号化」を選択すると、操作キー１４による操作内容に基づいて復号化キーが作成される。「ウェブアクセス」を選択すると、仮想的な操作キー１４による操作内容に基づいて復号化キーが作成される。「キーコード入力」を選択すると、入力されたキーコードに基づいて復号化キーが作成される。
【００４４】
ユーザが、「単独で復号化」を選択すると、図８に示すように、入力案内の画面が表示される。特定の操作キー１４が操作されると、図９に示すように、入力要求画面が表示される。操作パネル上の操作キー１４を操作して、図３に示したようにキー入力していく。機器制御部９の復号化手段は、入力された操作内容に基づいて復号化キーを生成する。
【００４５】
そして、機器制御部９は、入力された復号化キーが暗号化キーに対応した復号化キーであるかを判断する。暗号化処理および復号化処理において、共通鍵方式を採用する場合、暗号化キーと復号化キーとは同じキーとなる。この場合、入力された復号化キーが暗号化キーと同じであるかを判断する。また、復号化キーと暗号化キーが異なる公開鍵方式を採用する場合、入力された復号化キーが暗号化キーに対応して決められた復号化キーであるかを判断する。ここで、暗号化キーを機器制御部９自身が生成した場合には、暗号化キーはメモリ等に保存されている。暗号化キーを他の画像処理装置が生成した場合には、暗号化キーに対応する復号化キーをメモリ等に予め登録して保存しておく。そして、入力された復号化キーと登録された復号化キーとを照合して、確認する。
【００４６】
入力された復号化キーが暗号化キーに対応した復号化キーであると確認したとき、機器制御部９は、復号化キーを暗号化復号化部２５に送出する。暗号化復号化部２５は、この復号化キーに基づいて画像データを復号化する。
【００４７】
機器制御部９は、画像データが復号化されると、即座に指定されたモードにしたがって出力処理する。その後、画像データは、消去手段３２により消去される。したがって、重要な画像データは、暗号化されていない状態で残されることはなく、機密情報の漏洩を防止することができる。
【００４８】
確認できなかったとき、再度の復号化キーの入力が要求される。この場合、異なる機種で暗号化されたことが考えられる。そこで、第２の入力手段による入力操作が選択される。「キーコード入力」が選択されると、図１０に示すように、入力画面が表示される。ユーザは、復号化キーに対するキーコードを直接入力する。機器制御部９は、同様に入力されたキーコードから復号化キーを作成し、復号化キーの確認を行う。したがって、機種が異なっても、暗号化キーに対応した復号化キーを生成することができる。
【００４９】
「ウェブアクセス」が選択されると、図１１に示すように、アクセス先入力画面が表示される。「入力キー」を操作すると、文字キーが表示される。アクセス先である他の画像処理装置（相手機）のマシン名あるいはＩＰアドレス等のアドレスが入力されると、機器制御部９は、通信部５を通じて相手機と通信を行う。相手機にアクセスでき、リンクが確立されると、機器制御部９は、相手機から情報を取得する。図１２に示すように、相手機の情報に関する画面が表示される。「復号管理」キーが操作されると、図１３に示すように、相手機の操作パネルの一部が表示される。これにより、自装置に存在しない操作キー１４が仮想的に形成される。仮想的な操作キー１４が操作されると、機器制御部９は、相手機において操作キー１４が操作されたときと同様の操作内容として認識する。そして、機器制御部９は、入力された操作内容に基づいて復号化キーを生成し、復号化キーの確認を行う。したがって、自装置には存在しない操作キー１４を形成することによって、暗号化キーに対応した復号化キーを生成することができる。
【００５０】
情報処理装置等の外部機器に暗号化された画像データが送信された場合、外部機器は暗号化された画像データを保存している。しかし、外部機器には、画像処理装置の操作キー１４は存在しない。この場合、外部機器は、ブラウザを利用して、暗号化処理した画像処理装置にアクセスする。そして、ブラウザは、図１４に示すように、ディスプレイに画像処理装置のメニュー画面を表示する。画面上の「復号管理」を操作すると、キーコード入力の画面が表示される。キーコードが入力されると、復号化キーが作成される。この復号化キーによって、暗号化された画像データの復号化処理が行われる。したがって、画像処理装置とは異なる外部機器であっても、復号化キーを生成でき、暗号化された画像データを復号化することができる。すなわち、画像処理装置と通信可能な外部機器は、本発明における画像処理装置の１つと言える。
【００５１】
なお、本発明は、上記実施形態に限定されるものではなく、本発明の範囲内で上記実施形態に多くの修正および変更を加え得ることは勿論である。画像処理装置として、コピーモードおよびファクシミリモードを有する複合機であってもよく、さらにはコピー機、ファクシミリ装置といったように単一のモードだけの専用機であってもよい。
【００５２】
画像処理装置には、装置の機械的な変化を検出する検出素子が設けられている。検出素子として、例えば、ドアの開閉を検知するスイッチ、原稿カバーの開閉を検知するスイッチ、原稿の有無を検知するスイッチ、カセットトレイの有無を検知するスイッチ、原稿サイズを検知するセンサ、シート材のサイズを検知するセンサ等である。画像処理装置に対して何らかの操作がされ、ドアやカバー等の状態の変化を検知したとき、これらのスイッチやセンサは、機器制御部に信号を出力する。
【００５３】
暗号化キーおよび復号化キーを生成するために、ユーザがドアの開閉等の操作をすると、検出素子は信号を発生する。機器制御部は、検出素子からの出力信号により、上記と同様に、キーコードに変換して、暗号化キーあるいは復号化キーを作成する。なお、操作キーの操作および装置に対する操作を組み合わせて、暗号化キーあるいは復号化キーを生成してもよい。このように、装置に対して行われた操作内容に基づいても、暗号化キーを生成することができる。したがって、より複雑な暗号化キーおよび復号化キーを生成することができ、セキュリティ性が高まる。
【００５４】
復号化処理に際して、３種類の入力手段が選択可能とされる。この選択を機器制御部が自動的に行ってもよい。画像データを暗号化したとき、機器制御部は、暗号化した装置に関する暗号化情報を作成し、画像データに付加する。復号化を行う機器制御部は、暗号化情報を参照して、自装置の操作キーで対応可能かを判断して、適切な入力手段を選択する。したがって、ユーザは、指示された入力手段の操作をすればよい。
【図面の簡単な説明】
【００５５】
【図１】本発明の画像処理装置の概略構成を示す図
【図２】機種毎に異なる操作パネルを示す図
【図３】暗号化キー生成のための操作キーの入力例を示す図
【図４】操作キーとキーコードとの対応関係を示すテーブルを示す図
【図５】復号化処理のフローチャート
【図６】復号化処理を開始するときの操作パネルの一部を示す図
【図７】復号化キー生成のための入力手段の選択画面を示す図
【図８】復号化キー入力の案内画面を示す図
【図９】復号化キー入力の要求画面が表示された操作パネルの一部を示す図
【図１０】キーコード入力の要求画面を示す図
【図１１】ウェブアクセスのアクセス先入力画面を示す図
【図１２】相手機に関する情報の表示画面を示す図
【図１３】相手機の操作パネルの一部を表示した画面を示す図
【図１４】情報処理装置において表示された画像処理装置のメニュー画面を示す図
【符号の説明】
【００５６】
１    画像読み取り部
２    操作部
３    画像形成部
４    ハードディスク装置
５    通信部
９    機器制御部
１２    入力部
１３    表示部
１４    操作キー
２０    ローカルメモリ
２１    印字部
２５    暗号化復号化部
３０    情報処理装置
【図１】
2007235376.tif 000003
【図２】
2007235376.tif 000004
【図３】
2007235376.tif 000005
【図４】
2007235376.tif 000006
【図５】
2007235376.tif 000007
【図６】
2007235376.tif 000008
【図７】
2007235376.tif 000009
【図８】
2007235376.tif 000010
【図９】
2007235376.tif 000011
【図１０】
2007235376.tif 000012
【図１１】
2007235376.tif 000013
【図１２】
2007235376.tif 000014
【図１３】
2007235376.tif 000015
【図１４】
2007235376.tif 000016